(57)【特許請求の範囲】
【請求項１】
電気信号を送受する端子の数がそれぞれ異なる少なくとも第１のカード、第２のカード、及び第３のカードを着脱可能なカードスロット装置であって、
前記第１のカード及び前記第２のカードを着脱可能な第１のソケットと、前記第１のカード及び前記第３のカードを着脱可能な第２のソケットとを選択的に装着可能なコネクタを備え、
前記コネクタは、
前記第１のカードの端子数と同じ数の第１の電極群と、前記第２のカードの端子数と同じ数の第２の電極群と、前記第３のカードと同じ数の第３の電極群と、前記第１のソケット又は第２のソケットが挿入可能な矩形の開口部を備え、
前記第１の電極群と、前記第２の電極群および前記第３の電極群は前記開口部を挟んで互いに対向し、前記第１の電極群は前記開口部の一側面に沿って１列に配置され、前記第２の電極群および前記第３の電極群は前記開口部の他側面に沿って１列に連なって配置された、カードスロット装置。
【請求項２】
前記第２の電極群と前記第３の電極群を包含する第４の電極群をさらに有し、
前記第４の電極群は前記開口部の他側面に沿って１列に配置され、
前記第１の電極群と前記第４の電極群は互いに電極の数が等しく、かつ互いに前記開口部を挟んで対向する、
請求項１に記載のカードスロット装置。
【発明の詳細な説明】
【技術分野】
【０００１】
本発明は、情報を記憶可能な記憶手段や通信手段などを備えたカード状の機器を着脱可能なカードスロット装置に関する。
【背景技術】
【０００２】
従来からノート型のパーソナルコンピューター（以下、ノートパソコンと称する）には、例えばＰＣＭＣＩＡ（Personal Computer Memory Card Interafce Association）が策定したＰＣカードを着脱可能なカードスロットが搭載されている。ＰＣカードは、各種情報を書き込み及び読み出し可能な半導体メモリを内蔵したメモリカードや、ＰＣカードよりも小型のメモリカードのアダプターとしての機能や、無線で情報を送受信可能な送信手段及び受信手段を内蔵した拡張カードなどがある。
【０００３】
図１１ＡはＰＣカードの外観を示す平面図であり、図１１ＢはＰＣカードにおける端子部１０１が配されている面の側面図である。図１１Ａ及び図１１Ｂに示すように、ＰＣカード１００は、長さ寸法Ｌ１＝８５．６ｍｍ、幅寸法Ｗ１＝５４ｍｍの寸法で形成されている。ＰＣカード１００の長辺方向の一方の端部側面には、端子部１０１が配されている。端子部１０１は、ＰＣカード１００をカードスロットに挿入装着した際に、ＰＣカード１００内の電気回路とノートパソコンとの間でデータの送受信を行うことができるように複数の端子（７５ピン）を備えている。また、ＰＣカード１００の短辺方向両端には、ＰＣカード１００の長手方向に沿ってガイド部１０２ａ及び１０２ｂが形成されている。ガイド部１０２ａ及び１０２ｂは、図１１Ｂにおける寸法Ｄ１に示すように、ＰＣカード１００の本体部よりも薄肉に形成されている（Ｄ１＝３．３ｍｍ）。ガイド部１０２ａ及び１０２ｂは、ＰＣカード１００をカードスロットに挿入する際に、ＰＣカード１００をカードスロット内の正規の位置にガイドするためのものである。なお、前述したＰＣカード１００の機能は一例である。
【０００４】
また、最近では、ＰＣカード以外にＰＣＭＣＩＡが策定したＥｘｐｒｅｓｓカード（以下、ＥＸカードと称する）が登場している。図１２ＡはＥＸカードの外観を示す平面図であり、図１２ＢはＥＸカードにおける端子部が配されている面の側面図である。ＥＸカード２００は、一方の長辺部分（ガイド部２０２ｂが形成されている部分）の長さ寸法Ｌ２＝７５ｍｍ、他方の長辺部分（ガイド部２０２ｃが形成されている部分）の長さ寸法Ｌ３＝２２ｍｍ、幅寸法Ｗ２＝５４ｍｍの寸法で形成されている。ＥＸカード２００の長辺方向の一方の端部側面には、端子部２０１が配されている。端子部２０１は、ＥＸカード２００をカードスロットに挿入装着した際に、ＥＸカード２００内の電気回路とノートパソコンとの間で信号の送受信を行うことができるように複数の端子（２６ピン）を備えている。また、ＥＸカード２００の短辺方向両端には、ＥＸカード２００の長手方向に沿ってガイド部２０２ａ，２０２ｂ、および２０２ｃが形成されている。ガイド部２０２ａ〜２０２ｃは、図１２Ｂにおける寸法Ｄ２に示すように、ＥＸカード２００の本体部よりも薄肉に形成されている（Ｄ２＝３．３ｍｍ）。ガイド部２０２ａ〜２０２ｃは、ＥＸカード２００をカードスロットに挿入する際に、ＥＸカード２００をカードスロット内の正規の位置にガイドするためのものである。なお、前述したＥＸカード２００の機能は一例である。
【０００５】
また、最近では、ノートパソコンのセキュリティ性を向上させるために、Ｓｍａｒｔカード（以下、ＳＭカードと称する）と呼ばれるカードを着脱可能なカードスロットを搭載したノートパソコンが登場している。図１３は、ＳＭカードの外観構成を示す平面図である。ＳＭカード３００は、本体部３０１の表面にＩＣチップ３０２が配されている。ＩＣチップ３０２は、８個の端子３０２ａを備えており、カードスロットに挿入装着した際に、カードスロット内の端子と電気的に接触することで、ＩＣチップ３０２とノートパソコンとの間で信号の送受信を行うことができる。このＩＣチップに認証情報が書き込まれており、ノートパソコンはこの認証情報に基づき使用者の認証処理を行い、認証結果に応じて当該ノートパソコンの使用可否を決定する。なお、前述したＳＭカード３００の機能は一例である。
【０００６】
なお、以下の説明では、ＰＣカード１００、ＥＸカード２００、ＳＭカード３００を「カード」と総称する場合がある。
【０００７】
図１４は、例えば非特許文献１に開示されているノートパソコンの外観を示す。ノートパソコン４００は、画像を表示可能な表示部を備えた第１の筐体４０１と、使用者によって情報を入力可能なキーボードを備えた第２の筐体４０２とを備えている。第２の筐体４０２の側面には、ＰＣカード１００、ＥＸカード２００、ＳＭカード３００を選択的に挿入装着可能なカードスロット４０３を備えている。カードスロット４０３は、ノートパソコン４００の本体内に図１５に示すソケット５００が配されて構成されている。ソケット５００は、カードを選択的に挿入装着可能な第１のスロット５０１と第２のスロット５０２とを備えている。第１のスロット５０１及び第２のスロット５０２の最奥部には、カードの端子部（例えば図１１Ａに示す端子部１０１）と接続可能な第１の端子部５０３及び第２の端子部５０４を備えている。
【０００８】
なお、一つのスロットは、複数枚のカードを同時に装着することができないような内部寸法及び内部形状に形成されている。また、一つのスロットには、複数種類のカードを選択的に装着することができないように構成されている。それは、各カードの端子部は、対応するカードの構造に応じて形状やピン数などの構造が異なるからである。したがって、本構成のようにＰＣカード１００と、ＥＸカード２００またはＳＭカード３００とに対応したソケット５００としては、ＰＣカード１００とＥＸカード２００とに対応した第１のソケット、ＰＣカード１００とＳＭカード３００とに対応した第２のソケットの２種類のソケットが存在することになる。なお、ＥＸカード２００とＳＭカード３００とに対応したソケットも考えられるが、説明を簡単にするため省略する。ノートパソコン４００は、第１及び第２のソケットのうちいずれか一つを搭載することで、３種類のカードのうち２種類のカードを同時に装着可能な仕様とすることができる。
【０００９】
図１６は、ノートパソコン４００内におけるソケット５００の装着構成を示す側面図である。ソケット５００をノートパソコン４００に装備する際は、ソケット５００の奥側端面に配されている基板５０５を、ノートパソコン４００に配されているメイン基板５１１に実装されているコネクタ５１２に装着する。基板５０５は、端部の表裏にそれぞれ電極５０５ａ及び５０５ｂを備え、基板５０５をコネクタ５１２に装着した際に電極５０５ａ及び５０５ｂがコネクタ５１２内の電極に電気的に接続される。これにより、第１の端子部５０３及び第２の端子部５０４は、基板５０５の配線パターン、電極５０５ａ及び５０５ｂ、コネクタ５１２を介して、メイン基板５１１の配線パターンに電気的に接続される。
【００１０】
図１７は、ＰＣカード１００に対応したスロットを備えたソケットに搭載される基板５０５の実装面の構成であり、電極群５１５ａは７５ピンの電極で構成されている。電極群５１５ａの各電極は、配線パターン５１５ｄに接続されている。配線パターン５１５ｄは、第１の端子部５０３または第２の端子部５０４（図１６参照）に接続されている。
【００１１】
図１８は、ＥＸカード２００に対応したスロットを備えたソケットに搭載される基板５０５の実装面の構成である。電極群５２５ａは７５ピンの電極で構成されているが、配線パターン５２５ｄに接続されているのは電極群５２５ａのうちの２６ピン（電極群５２５ｃ）である。すなわち、電極群５２５ｃ以外の電極は、電気的に機能していない。
図１９は、ＳＭカード３００に対応したスロットを備えたソケットに搭載される基板５０５の実装面の構成である。電極群５３５ａは７５ピンの電極で構成されているが、配線パターン５３５ｄに接続されているのは電極群５３５ａのうちの１０ピン（電極群５３５ｃ）である。すなわち、電極群５３５ｃ以外の電極は、電気的に機能していない。
【００１２】
例えば、ソケット５００が第１のソケットである場合、基板５０５の一方の面は図１７に示す実装パターンを備え、基板５０５の他方の面は図１８に示す実装パターンを備える。
【００１３】
図２０は、コネクタ５１２の平面図を示す。図２０に示すように基板５０５を挿入可能な開口部５１２ｃの長辺部分の対向する内面に、電極群５１２ａ及び５１２ｂを備えている。電極群５１２ａ及び５１２ｂは、コネクタ５１２をメイン基板５１１に実装することで、メイン基板５１１に形成されている配線パターンに電気的に接続される。また、電極群５１２ａ及び５１２ｂは、それぞれ７６ピンの電極から構成されている。
【００１４】
基板５０５を開口部５１２ｃに挿入することで、電極５０５ａと電極５１２ａとが電気的に接触し、電極５０５ｂと電極５１２ｂとが電気的に接触し、基板５０５に実装されている第１の端子部５０３及び第２の端子部５０４とメイン基板５１１とを電気的に接続することができる。したがって、第１のスロット５０１及び第２のスロット５０２にカードが装着された場合、カードとメイン基板５１１との間でデータの送受信を行うことができる状態になる。
【００１５】
なお、図１６に示すメイン基板５１１には、各カードとの間で情報を送受信を行ったり、ハードディスクドライブやＣＰＵ（中央演算処理装置）との間でデータの送受を行うための、様々なコントローラ５１３（マイコンチップ）が実装されている。上記のように複数のスロットを備えたソケットを搭載するノートパソコンにおいては、搭載するソケットの種類（すなわち装着可能なカードの種類）に応じたコントローラが搭載される。例えば、第１のソケットを搭載するノートパソコンの場合は、メイン基板５１１にはＰＣカード１００との間で情報を送受を行うコントローラとＥＸカード２００との間で情報の送受を行うコントローラとを搭載する。
【非特許文献１】lenovo社  ノート型パーソナルコンピューター「THINKPAD T61」カタログ
【発明の開示】
【発明が解決しようとする課題】
【００１６】
しかしながら従来の構成では、図２１に示すように、第１のソケット５００ａ、第２のソケット５００ｂのそれぞれに対応するように、ＰＣカード用コントローラ５１１ｃ及びＥＸカード用コントローラ５１１ｄを実装した第１のメイン基板５１１ａと、ＰＣカード用コントローラ５１１ｃ及びＳＭカード用コントローラ５１１ｅを実装した第２のメイン基板５１１ｂとを製造する必要がある。したがって、ノートパソコン４００を製造する際、２種類のメイン基板の開発、評価、生産管理を行わないといけないため、コストが大幅に増加してしまうという問題があった。さらには、対応するカードの種類が増える度に、メイン基板の種類も増え、コストがさらに増大してしまう。
【００１７】
本発明の目的は、対応するカードの種類が増えたとしても、コストを大幅に増加させずに実現することができるカードスロット装置を提供することである。
【課題を解決するための手段】
【００１８】
本発明のカードスロット装置は、電気信号を送受する端子の数がそれぞれ異なる少なくとも第１のカード、第２のカード、及び第３のカードを選択的に着脱可能なカードスロット装置であって、前記第１のカード及び前記第２のカードを着脱可能な第１のソケットと、前記第１のカード及び前記第３のカードを着脱可能な第２のソケットとを選択的に装着可能なコネクタを備え、前記コネクタは、前記第１のカードの端子数と同じ数の第１の電極群と、前記第２のカードの端子数と同じ数の第２の電極群と、前記第３のカードと同じ数の第３の電極群と、前記第１のソケット又は第２のソケットが挿入可能な矩形の開口部を備え、前記第１の電極群と、前記第２の電極群および前記第３の電極群は前記開口部を挟んで互いに対向し、前記第１の電極群は前記開口部の一側面に沿って１列に配置され、前記第２の電極群および前記第３の電極群は前記開口部の他側面に沿って１列に連なって配置されたものである。
【発明の効果】
【００１９】
本発明によれば、対応するカードの種類が増えたとしても、メイン基板における実装内容を同一にすることができるため、メイン基板の開発、評価、生産管理に要するコストを大幅に増加させずに実現することができる。
【発明を実施するための最良の形態】
【００２１】
（実施の形態１）
図１は、本実施の形態の特徴を説明するための模式図である。本実施の形態の大きな特徴は、１つのメイン基板４に、ＰＣカード１００（図１１Ａ及び図１１Ｂ参照）、ＥＸカード２００（図１２Ａ及び図１２Ｂ参照）、およびＳＭカード３００（図１３参照）に対応したコントローラを実装したことである。具体的には、図１に示すように、メイン基板４にはＰＣカード１００及びＳＭカード３００に対応した第１のコントローラ４ａと、ＥＸカード２００に対応した第２のコントローラ４ｂとを備えている。これにより、ノートパソコン１の仕様に応じて、ＰＣカード用のスロットとＥＸカード用のスロットとを備えた第１のソケット２と、ＰＣカード用のスロットとＳＭカード用のスロットとを備えた第２のソケット３のどちらを搭載することになったとしても、メイン基板４が第１のソケット２及び第２のソケット３を選択的に装着可能なコネクタ４ｃと、３種類のカードに対応したコントローラ４ａ及び４ｂとを搭載しているため、製造するメイン基板は１種類でよい。なお、ＰＣカード１００は第１のカードの一例である。ＥＸカードは第２のカードの一例である。ＳＭカード３００は第３のカードの一例である。以下、本実施の形態の構成について詳しく説明する。
【００２２】
図２は、本実施の形態における電子機器の一例であるノートパソコンのブロック構成を示す。図２に示すように、ノートパソコン１は、第１のソケット２（または第２のソケット３）、メイン基板４、ディスプレイ５、操作部６、ハードディスクドライブ７を備えている。ノートパソコン１には、図示の構成の他にも様々な構成が搭載されている場合があるが、本実施の形態では主要な構成のみ示した。
【００２３】
第１のソケット２は、ＰＣカード１００を装着可能なスロットと、ＥＸカード２００を装着可能なスロットとを備えている。第２のソケット３は、ＰＣカード１００を装着可能なスロットと、ＳＭカード３００を装着可能なスロットとを備えている。なお、第１のソケット２及び第２のソケット３の外観構成は、例えば図１５に示す。また、第１のソケット２及び第２のソケット３の具体的な構成およびメイン基板４への装着方法については、図１６を参照して前述したので本項での説明は省略する。
【００２４】
メイン基板４は、ＣＰＵ４１、ＧＭＣＨ４２（GMCH:Graphic Memory Controller Hub）、ＥＥＰＲＯＭ４３（EEPROM:Electrically Erasable Programmable Read-Only Memory）、ＩＣＨ４４（ICH:I/O Controller Hub）、第１のコントローラ４ａ、コネクタ４ｃが実装されている。ＧＭＣＨ４２は、ＩＣＨ４４から送られるデータをＣＰＵ４１との間で処理し、処理後のデータをＩＣＨ４４に送信したり、処理後のデータに基づきディスプレイ５に画像を表示させるよう制御するものである。なお、ＧＭＣＨ４２における処理内容や制御内容は上記に限らない。ＥＥＰＲＯＭ４３は、少なくともＢＩＯＳ（BIOS:Basic Input Output System）の情報が格納されている。ＢＩＯＳの情報には、本実施の形態ではコネクタ４ｃに装着されているソケットの情報が含まれている。ＩＣＨ４４は、操作部６における操作の内容を受け付け、各部を制御する。制御の内容は、例えばハードディスクドライブ７に対するデータの記録または再生制御、ＧＭＣＨ４２との間でのデータの送受信制御、第１のコントローラ４ａ及びコネクタ４ｃとの間のデータの送受信制御などである。なお、ＩＣＨ４４における処理内容や制御内容は上記に限らない。また、ＩＣＨ４４は、第１のソケット２にＥＸカード２００が装着されている時、コネクタ４ｃを介してＥＸカード２００との間でデータ通信を行う第２のコントローラ４ｂを備えている。第１のコントローラ４ａは、第１のソケット２または第２のソケット３にＰＣカード１００が装着されている時、または第２のソケット３にＳＭカード３００が装着されている時に、コネクタ４ｃを介してＰＣカード１００またはＳＭカード３００との間でデータ通信を行うものである。コネクタ４ｃは、第１のソケット２及び第２のソケット３を選択的に装着可能なものである。なお、コネクタ４ｃの具体構成は、図２０を参照して前述したので説明は省略する。
【００２５】
ディスプレイ５は、ＧＭＣＨ４２からの制御により、画像を表示することができる。
【００２６】
操作部６は、キーボードやマウスなどから構成され、受け付けた命令はＩＣＨ４４に送られる。
【００２７】
ハードディスクドライブ７は、ＩＣＨ４４からの制御により、各種データを記録することができる。
【００２８】
以下、第１のソケット２または第２のソケット３に装着されたカードとのアクセス動作について説明する。
【００２９】
まず、使用者が操作部６を操作してノートパソコン１の電源を投入すると、ＩＣＨ４４はＥＥＰＲＯＭ４３に格納されているＢＩＯＳ情報を読み出す。この時、ＩＣＨ４４は、コネクタ４ｃに装着されているソケットの種類を検出し、ＢＩＯＳ情報に含ませる。操作部６がＢＩＯＳ情報を表示する操作を受け付けると、ＩＣＨ４４はＢＩＯＳ情報をＧＭＣＨ４２に送り、ＧＭＣＨ４２はディスプレイ５にＢＩＯＳ情報を表示する。使用者は、ディスプレイ５に表示されるＢＩＯＳ情報を参照したり、操作部６を操作してＢＩＯＳの設定を変更したりすることができる。ディスプレイ５に表示されるＢＩＯＳ情報には、コネクタ４ｃに装着されているソケットの種類も含まれる。
【００３０】
コネクタ４ｃに第１のソケット２が装着され、第１のソケット２のスロットにＰＣカード１００が装着されている場合、第１のコントローラ４ａは、第１のソケット２にＰＣカード１００が装着されていることを検出する。第１のコントローラ４ａは、ＰＣカード１００の装着を検出すると、ＰＣカード１００の情報（カードの種類などの情報）をＰＣカード１００から取得し、ＩＣＨ４４へ送る。以降、ＩＣＨ４４は、操作部６で受け付けた命令に基づき、第１のコントローラ４ａがコネクタ４ｃを介してＰＣカード１００とアクセスすることで、ＰＣカード１００との間でデータの送受信や各種制御を行うことができる。例えば、装着されたＰＣカード１００がメモリカードの機能を有するものであれば、第１のコントローラ４ａはＰＣカード１００がメモリカード機能を有することをＩＣＨ４４に送る。ＩＣＨ４４は、第１のコントローラ４ａから送られる情報に基づき、ＰＣカード１００を独立したドライブとして認識する。ＩＣＨ４４における認識結果はＧＭＣＨ４２に送られ、ＧＭＣＨ４２はディスプレイ５に認識結果を表示する。
【００３１】
ここで、例えばハードディスクドライブ７に格納されているデータをＰＣカード１００にコピーする命令を操作部６が受け付けると、ＩＣＨ４４は、ハードディスクドライブ７から指定のデータを読み出し、第１のコントローラ４ａに送る。第１のコントローラ４ａは、コネクタ４ｃを介してＰＣカード１００にデータを記録するよう制御する。また、例えばＰＣカード１００に記録されている画像データをディスプレイ５に表示させる命令を操作部６が受け付けると、ＩＣＨ４４は第１のコントローラ４ａに対して指定の画像データを読み出すように命令する。第１のコントローラ４ａは、ＩＣＨ４４からの命令に基づき、ＰＣカード１００から指定の画像データを読み出し、ＩＣＨ４４に送る。ＩＣＨ４４は、第１のコントローラ４ａから送られる画像データをＧＭＣＨ４２に送る。ＧＭＣＨ４２は、ＩＣＨ４４から送られる画像データについてＣＰＵ４１との間で画像処理やアナログ変換処理などを行い、アナログの画像信号を生成する。ＧＭＣＨ４２は、生成した画像信号に基づく画像をディスプレイ５に表示するよう制御する。なお、これらの動作説明は一例である。
【００３２】
また、第１のソケット２にＥＸカード２００が装着されている場合は、ＩＣＨ４４内の第２のコントローラ４ｂが第１のソケット２にＥＸカード２００が装着されていることを検出する。第２のコントローラ４ｂは、ＥＸカード２００の装着を検出すると、ＥＸカード２００の情報（カードの種類などの情報）をＥＸカード２００から取得し、ＩＣＨ４４へ送る。以降、ＩＣＨ４４は、操作部６で受け付けた命令に基づき、第２のコントローラ４ｂがコネクタ４ｃを介してＥＸカード２００とアクセスすることで、ＥＸカード２００との間でデータの送受信や各種制御を行うことができる。
【００３３】
また、コネクタ４ｃに第２のソケット３が装着され、第２のソケット３のスロットにＰＣカード１００が装着されている場合、第１のコントローラ４ａは、第２のソケット３にＰＣカード１００が装着されていることを検出する。第１のコントローラ４ａは、ＰＣカード１００の装着を検出すると、ＰＣカード１００の情報（カードの種類など）をＰＣカード１００から取得し、ＩＣＨ４４へ送る。以降、ＩＣＨ４４は、操作部６で受け付けた命令に基づき、第１のコントローラ４ａを制御する。第１のコントローラ４ａは、ＩＣＨ４４からの制御により、コネクタ４ｃを介してＰＣカード１００とアクセスすることで、ＰＣカード１００との間でデータの送受信や各種制御を行うことができる。
【００３４】
また、第２のソケット３にＳＭカード３００が装着されている場合は、ＩＣＨ４４内の第１のコントローラ４ａが第２のソケット３にＳＭカード３００が装着されていることを検出する。第１のコントローラ４ａは、ＳＭカード３００の装着を検出すると、ＳＭカード３００の情報（カードの種類など）をＳＭカード３００から取得し、ＩＣＨ４４へ送る。以降、ＩＣＨ４４は、操作部６で受け付けた命令に基づき、第１のコントローラ４ａを制御する。第１のコントローラ４ａは、ＩＣＨ４４からの制御により、コネクタ４ｃを介してＳＭカード３００とアクセスすることで、ＳＭカード３００との間でデータの送受信や各種制御を行うことができる。
【００３５】
以上のように本実施の形態によれば、メイン基板４に、ＰＣカード１００、ＥＸカード２００、およびＳＭカード３００に対応したコネクタ４ｃ及びコントローラ（本実施の形態では、第１のコントローラ４ａ、第２のコントローラ４ｂ）を備えたことにより、コネクタ４ｃに装着されるソケットが第１のソケット２及び第２のソケット３のどちらが装着されたとしても、メイン基板４の仕様を変える必要がないため、１種類のメイン基板４のみ製造するだけでよい。したがって、カードの種類に応じて複数種類のメイン基板を製造する構成に比べて、メイン基板の開発、評価、生産管理に必要となるコストを低く抑えることができる。具体的には、接続するソケットの種類が複数存在しても、メイン基板の実装内容は１種類であるため、製造ラインにおける実装プログラムの切り換えが不要となり、生産工数を削減できる。また、実装仕掛品を管理する工数を削減できる。
【００３６】
なお、本実施の形態では、第１のコントローラ４ａにＰＣカード用の制御機能とＳＭカード用の制御機能とを備えた構成としたが、ＰＣカード用のコントローラとＳＭカード用のコントローラとを独立して備えても、同様の効果が得られる。
【００３７】
また、図３に示すように、第１のコントローラ４ａに代えて、ＰＣカード用の制御機能とＥＸカード用の制御機能とを備えた第３のコントローラ４ｄを備え、第２のコントローラ４ｂに代えて、ＳＭカード用の制御機能を備えた第４のコントローラ４ｅｄを備えても、同様の効果が得られる。
【００３８】
また、図４に示すように、第１のコントローラ４ａに代えて、ＰＣカード用の制御機能を備えた第５のコントローラ４ｆを備え、第２のコントローラ４ｂに代えて、ＥＸカード用の制御機能とＳＭカード用の制御機能とを備えた第６のコントローラ４ｇを備えても、同様の効果が得られる。
【００３９】
また、図５に示すように、第１のコントローラ４ａに代えて、全てのカードに対応した第７のコントローラ４ｈを備えても、同様の効果が得られる。この場合は、本実施の形態の効果に加えて、コントローラを完全に１チップ化できるので、コストダウンが図れる。
【００４０】
（実施の形態２）
図６は、実施の形態２における電子機器の一例であるノートパソコンのブロック構成を示す。図６において、図２に示す構成と同様の構成については、同一符号を付与して詳しい説明は省略する。図６に示す構成で、図２に示す構成と異なるのは、コネクタ４に代えてコネクタ４５を備え、接続検出部４６を追加した点である。
【００４１】
コネクタ４５は、検出端子４５ａを備えている。図７は、本実施の形態におけるコネクタ４５の平面図である。図７に示すように、コネクタ４５は、ソケットに搭載されている基板が挿入される開口部４５ｆを備え、開口部４５ｆを挟んで互いに対向する位置に電極群４５ｂ及び４５ｃを備えている。電極群４５ｂは、７６ピンの電極で構成され、メイン基板４に第１のソケット２及び第２のソケット３のいずれが装着されたとしてもＰＣカード用の配線パターンに接続された電極（図１７の電極群５１５ａ）が接続される。電極群４５ｃは、７６ピンの電極で構成され、メイン基板４に第１のソケット２が装着された場合は、電極群４５ｃ中の電極群４５ｄ（２６ピン）にＥＸカード用の配線パターンに接続された電極（図１８の電極群５２５ｃ）が接続される。また、電極群４５ｃは、メイン基板４に第２のソケット３が装着された場合は、電極群４５ｃ中の電極群４５ｅ（１０ピン）に、図８に示すＳＭカード用の配線パターンに接続された電極５３５ｃが接続される。なお、本実施の形態において、ＳＭカード用の基板の配線パターンは、図８に示すように配線パターン５３５ｄに接続されている電極群５３５ｃに検出電極５３５ｂが含まれている。図８に示す配線パターンを有する基板を備えた第２のソケット３を、図７に示すコネクタ４５に装着した場合、検出端子４５ａと検出電極５３５ｂとが電気的に接続される。
【００４２】
接続検出部４６は、検出端子４５ａに検出電極５３５ｂが接続された際に、検出信号を第１のコントローラ４ａ及び第２のコントローラ４ｂへ送る。
【００４３】
以下、動作について、図９も参照しながら説明する。図９は、本実施の形態におけるソケットの検出動作を示す。
【００４４】
操作部６が電源オンの命令を受け付けると、ＩＣＨ４４は電源回路（不図示）を制御してノートパソコンの電源を投入するよう制御する（Ｓ１）、次に、接続検出部４６は、コネクタ４５における検出端子４５ａの接続状態に基づき、コネクタ４５に装着されているソケットが第１のソケット２であるか第２のソケット３であるかを検出する（Ｓ２）。コネクタ４５に装着されているソケットが第１のソケット２である場合（Ｓ３におけるＹＥＳ判断）は、第２のコントローラ４ｂの動作を有効状態にし、第１のコントローラ４ａにおけるＳＭカード用の制御機能を無効状態にする（Ｓ４）。一方、コネクタ４５に装着されているソケットが第２のソケット３である場合（Ｓ３におけるＮＯ判断）は、第１のコントローラ４ａにおけるＰＣカード用の制御機能およびＳＭカード用の制御機能を有効状態にし、第２のコントローラ４ｂの機能を無効状態にする（Ｓ５）。
【００４５】
次に、具体的なソケットの種類検出動作を説明する。
【００４６】
コネクタ４５に第１のソケット２が装着されている場合は、コネクタ４５の電極群４５ｂには、第１のソケット２に配されている電極群５１５ａ（図１７参照）が電気的に接続している。また、コネクタ４５の電極群４５ｃには、第１のソケット２に配されている電極群５２５ａ（図１８参照）が機械的に接触し、電極群５２５ｃが電気的に接続している。接続検出部４６は、検出端子４５ａには第１のソケット２の電極が機械的には接触しているが電気的に接続されていないため、コネクタ４５に装着されたソケットは第１のソケット２であると判断する。
【００４７】
また、コネクタ４５に第２のソケット３が装着されている場合は、コネクタ４５の電極群４５ｂには第２のソケット３に配されている電極群５１５ａ（図１７参照）が電気的に接続している。また、コネクタ４５の電極群４５ｃには第２のソケット３に配されている電極群５３５ａが機械的に接触し、電極群５３５ｃが電気的に接続している。また、コネクタ４５の検出端子４５ａには、第２のソケット３に配されている検出電極５３５ｂが電気的に接続している。接続検出部４６は、検出端子４５ａに検出電極５３５ｂが電気的に接続されていることを検出することにより、コネクタ４５に装着されたソケットが第２のソケット３であると判断する。
【００４８】
以上のように本実施の形態によれば、コネクタ４５に装着されるソケットが第１のソケット２であるか第２のソケット３であるかを判別可能な接続検出部４６を備えたことにより、ソケットの判別処理を簡単かつ速く行うことができ、ノートパソコンの起動時間を短縮することができる。
【００４９】
なお、実施の形態１及び２での第１のソケット２と第２のソケット３におけるＰＣカード１００を挿入するスロットは各ソケットに対して逆向きとしたが、同一向きであっても良い。但し、同一方向の構成の場合には、ＳＭカード３００のＩＣチップ３０２は本体部３０１の面に埋め込まれているため、端子３０２ａとソケットの端子電極との電気的接続を確実にするため、ＳＭカード３００を挿入できるスロットは電子機器本体の下面に設ける第２のソケット３の方向とする方が望ましい。
【００５０】
また、実施の形態１及び２でのソケットは、一方の面にＰＣカード１００が挿入でき他方の面にＥＸカード２００が挿入できる第１のソケット、及び、一方の面にＰＣカード１００が挿入でき他方の面にＳＭカード３００が挿入できる第２のソケットを例に取り上げ説明したが、ソケットに挿入できるカードの種類は２種類の限定されるものではなく、例えば一方の面のスロットにＰＣカード１００が挿入でき、他方の面のスロットにはＥＸカード２００及びＳＭカード３００が挿入できる構成であっても良い。但し、この構成の場合には、ソケットに挿入されているカードを識別することが必要となるため、例えば図８に示したようにＳＭカード３００を識別する検出電極５３５ｂのように、ＥＸカード２００を識別する検出電極を備えることで対応できる。また、ＥＸカード２００とＳＭカード３００とを挿入できるスロットの電極群のピン数は、ＥＸカードの端子数とＳＭカードの端子数の合計以下で、しかもこの合計の端子数がＰＣカード１００を挿入できるスロットの電極群のピン数以下の構成であれば、例えばメイン基板５１１の配線パターンを変更せずに搭載できるため好ましい。但し、一方の面のスロットのピン数よりも他方の面のスロットのピン数合計が上回る場合であっても、例えば重複する端子電極がアース電極や電圧印加電極等複数のカード間で共用できる場合には、メイン基板５１１の配線パターンの変更をする必要が無く、回路の重複及び／またはメイン基板の数の増加を抑制することができる。
【００５１】
なお、実施の形態１及び２では、電子機器の一例としてノートパソコン（およびそれを含むパソコン）を挙げて説明したが、少なくともＰＣカード１００やＥＸカード２００などを取り扱うことが可能な機器であれば、パソコンに限らない。例えば、カードスロットを備えたテレビジョン受像機やＤＶＤレコーダーなどにも応用が可能である。図１０は、カードスロットを備えたプラズマディスプレイに適用した場合の構成を示す。図１０において、メイン基板５３には、第１のソケット５４または第２のソケット５５を選択的に接続可能なコネクタ５２ｅと、第１のソケット５４または第２のソケット５５にＰＣカードが接続された際に有効状態になるＰＣコントローラ５３ｂと、第１のソケット５４にＥＸカードが接続された際に有効状態になるＥＸコントローラ５３ｃと、第２のソケット５５にＳＭカードが接続された際に有効状態になるＳＭコントローラ５３ｄと、操作部５１からの命令に基づき各コントローラ５３ｂ〜５３ｄ及びディスプレイ５２を制御するコントローラ５３ａとを備えている。
【００５２】
また、実施の形態１及び２では、３種類のカードを選択的に着脱可能なカードスロット装置の構成を示したが、４種類以上のカードにも対応可能である。その場合も、メイン基板に実装するコントローラ及びコネクタをカードの種類数に対応させることで、製造するメイン基板は１種類だけでよい。
【産業上の利用可能性】
【００５３】
本発明は、ＰＣカードなどのカードを着脱可能なカードスロット装置に関する。
【図面の簡単な説明】
【００５４】
【図１】本発明の概要を示す模式図
【図２】実施の形態１における電子機器の構成を示すブロック図
【図３】実施の形態１における電子機器の他の構成を示すブロック図
【図４】実施の形態１における電子機器の他の構成を示すブロック図
【図５】実施の形態１における電子機器の他の構成を示すブロック図
【図６】実施の形態２における電子機器の構成を示すブロック図
【図７】実施の形態２におけるコネクタの構成を示す平面図
【図８】実施の形態２における基板の配線パターンを示す模式図
【図９】実施の形態２における電子機器のソケット検出動作のフローチャート
【図１０】実施の形態２における電子機器の他の構成を示すブロック図
【図１１Ａ】ＰＣカードの構成を示す平面図
【図１１Ｂ】ＰＣカードの構成を示す側面図
【図１２Ａ】ＥＸカードの構成を示す平面図
【図１２Ｂ】ＥＸカードの構成を示す側面図
【図１３】ＳＭカードの構成を示す平面図
【図１４】ノートパソコンの構成を示す斜視図
【図１５】ソケットの構成を示す斜視図
【図１６】ソケット及びメイン基板の構成を示す側面図
【図１７】ソケットの基板の配線パターンを示す模式図
【図１８】ソケットの基板の配線パターンを示す模式図
【図１９】ソケットの基板の配線パターンを示す模式図
【図２０】コネクタの構成を示す平面模式図
【図２１】従来の課題を説明するための模式図
【符号の説明】
【００５５】
１  ノートパソコン（電子機器）
２  第１のソケット
３  第２のソケット
４  メイン基板（回路基板）
４ａ  第１のコントローラ
４ｂ  第２のコントローラ
４ｃ  コネクタ
【図１】
0005196640.tif 000002
【図２】
0005196640.tif 000003
【図３】
0005196640.tif 000004
【図４】
0005196640.tif 000005
【図５】
0005196640.tif 000006
【図６】
0005196640.tif 000007
【図７】
0005196640.tif 000008
【図８】
0005196640.tif 000009
【図９】
0005196640.tif 000010
【図１０】
0005196640.tif 000011
【図１１Ａ】
0005196640.tif 000012
【図１１Ｂ】
0005196640.tif 000013
【図１２Ａ】
0005196640.tif 000014
【図１２Ｂ】
0005196640.tif 000015
【図１３】
0005196640.tif 000016
【図１４】
0005196640.tif 000017
【図１５】
0005196640.tif 000018
【図１６】
0005196640.tif 000019
【図１７】
0005196640.tif 000020
【図１８】
0005196640.tif 000021
【図１９】
0005196640.tif 000022
【図２０】
0005196640.tif 000023
【図２１】
0005196640.tif 000024